(57)【特許請求の範囲】
【請求項１】
放送電波を受信する受信手段と、リモコンから選局情報として出力されたコンテンツ識別情報を受信する手段と、受信したコンテンツ識別情報に応じてチャンネルを選択するチャンネル選択手段と、選択されたチャンネルのデジタル信号を復号し、映像出力、音声出力及びデータ出力を出力する復号手段と、放送中のコンテンツを識別するコンテンツ識別情報を出力するコンテンツ識別情報出力手段とを有するデジタル放送受信機、
前記コンテンツ識別情報を記憶する電子タグと、電子タグに記憶されているコンテンツないし放送番組を視覚的に表示する可視表示とを含む記録媒体、
前記デジタル放送受信機から出力されるコンテンツ識別情報を記録媒体の電子タグに書き込む書込手段と、及び、
前記記録媒体の電子タグに記憶されているコンテンツ識別情報を読み取る手段と、読み取ったコンテンツ識別情報を復号する復号手段と、復号されたコンテンツ識別情報を符号化する手段と、符号化されたコンテンツ識別情報で変調された光信号を生成し、選局情報として出力する出力手段とを有するリモコン  を具えることを特徴とするデジタルテレビジョンシステム。
【請求項２】
請求項１に記載のデジタルテレビジョンシステムにおいて、前記電子タグに記憶されるコンテンツ識別情報として、前記リモコンから選局情報として出力されるコマンドセットを用いることを特徴とするデジタルテレビジョンシステム。
【請求項３】
請求項１に記載のデジタルテレビジョンシステムにおいて、前記リモコンは、記録媒体から読み出したコンテンツ識別情報を、放送受信機に送信されるべきコマンドセットに変換する変換手段を有し、変換されたコマンドセットで変調された光信号を出力することを特徴とするデジタルテレビジョンシステム。
【請求項４】
視聴者は、所望の放送番組を視聴する際、前記記録媒体の可視表示により所望の放送番組又はチャンネルを特定し、前記リモコン用いて記録媒体の電子タグに記憶されているコンテンツ識別情報を読み出し、読み出したコンテンツ識別情報をデジタル放送受信機に送出することを特徴とする請求項２又は３に記載のデジタルテレビジョンシステム。
【請求項５】
請求項１、２、３又は４に記載のデジタルテレビジョンシステムにおいて、前記記録媒体として、電子タグが埋め込まれているカードを用い、当該カードの表面に放送コンテンツないし放送番組を視覚的に表示する可視表示が付されていることを特徴とするデジタルテレビジョンシステム。
【請求項６】
請求項５に記載のデジタルテレビジョンシステムにおいて、前記電子タグが埋め込まれているカードは、複数のカードを収納するカードボックス内に収納され、当該カードボックスに前記電子タグに情報を書き込む書込手段が装着されていることを特徴とするデジタルテレビジョンシステム。
【請求項７】
請求項１から６までのいずれか１項に記載のデジタルテレビジョンシステムに用いられるデジタル放送受信機であって、
放送電波を受信する受信手段と、リモコンから選局情報として出力されたコンテンツ識別情報を受信する手段と、受信したコンテンツ識別情報に応じてチャンネルを選択するチャンネル選択手段と、選択されたチャンネルのデジタル信号を復号し、映像出力、音声出力及びデータ出力を出力する復号手段と、放送中のコンテンツを識別するコンテンツ識別情報を出力するコンテンツ識別情報出力手段とを有し、
前記コンテンツ識別情報出力手段は、受信したデータ放送出力から、データ放送コンテンツを特定するリンクボタンの配置に関するスクリプトを抽出する手段と、抽出されたスクリプトからリモコン操作情報を出力する手段とを有することを特徴とするデジタル放送受信機。
【発明の詳細な説明】
【技術分野】
【０００１】
本発明はデジタルテレビジョンシステム、特に視聴者が所望のチャンネルのデータ放送を視聴する際のリモコン操作を大幅に簡単化したデジタルテレビジョンシステムに関するものである。
【背景技術】
【０００２】
デジタル放送の実用化に伴い、映像及び音声コンテンツにとどまらず、テキストや図形等を駆使した多様なコンテンツの放送が可能になり、従来のアナログ放送に比較して高機能な放送サービスが提供されている。一方、放送サービスの高機能化に伴い、リモートコントローラ（以下、「リモコン」と称する）の操作が複雑になり、不慣れな視聴者にとって大きな障害となっている。
【０００３】
例えば、データ放送では、コンテンツが階層的に配置されており、所望のコンテンツを視聴する場合複数のリモコンキーを順次押し下げることにより視聴されるが、視聴を希望するコンテンツが存在する階層が深くなればなるほど、リモコンキーの操作が複雑になってしまう。例えば、「広島県の天気の警報・注意報情報」を視聴する場合、以下のキー操作を行う必要があり、リモコンのキー操作が複雑である。
３．データ、赤、決定、↓を７回、決定、↓、決定
【０００４】
リモコン操作の簡単化を目的したリモコン装置として、テレビ操作のコマンドを登録する登録操作キーと複数のコマンドを記憶する記憶部とを具え、ユーザの指示により記憶したコマンドを順次出力し、テレビ受信機をユーザの指定した状態に設定するリモコン装置が既知である（例えば、「特許文献1」参照）。
【０００５】
さらに、ボタン操作以外の方法でコンテンツを選局するリモコン装置として、バーコード読取手段を有し、TV受信機へVTR等に対する命令や情報をコード化したバーコードを読み取って赤外線信号として送信するリモコン装置が既知である(例えば、「特許文献２」参照)。
【０００６】
【特許文献１】特開平9-224290号公報
【特許文献２】特開2000-228789号公報
【発明の開示】
【発明が解決しようとする課題】
【０００７】
テレビ操作のコマンドを登録して記憶する機能を有するリモコン装置では、リモコンキーの操作回数を減らすことができるが、記憶部へのコマンドセットの登録数がリモコン装置のボタン数を超える場合には、所望のコマンドセットを選択する際複数回のボタン操作が必要であり、リモコン操作が煩雑になってしまう。また、バーコードを読み取って選局するリモコン装置では、ボタン操作の煩雑性が解消されるが、視聴を希望する毎にバーコードを読み取る操作が必要であり、バーコードを読み取る操作自体煩雑なものである。
【０００８】
本発明の目的は、煩雑なリモコン操作を行うことなく簡単な操作で所望のコンテンツ、特にデータ放送を視聴することができるデジタルテレビジョンシステムを実現することにある。
【課題を解決するための手段】
【０００９】
本発明によるデジタルテレビジョンシステムは、放送電波を受信する受信手段と、リモコンから選局情報として出力されたコンテンツ識別情報を受信する手段と、受信したコンテンツ識別情報に応じてチャンネルを選択するチャンネル選択手段と、選択されたチャンネルのデジタル信号を復号し、映像出力、音声出力及びデータ出力を出力する復号手段と、放送中のコンテンツを識別するコンテンツ識別情報を出力するコンテンツ識別情報出力手段とを有するデジタル放送受信機、
前記コンテンツ識別情報を記憶する電子タグと、電子タグに記憶されているコンテンツないし放送番組を視覚的に表示する可視表示とを含む記録媒体、
前記デジタル放送受信機から出力されるコンテンツ識別情報を記録媒体の電子タグに書き込む書込手段と、及び、
前記記録媒体の電子タグに記憶されているコンテンツ識別情報を読み取る手段と、読み取ったコンテンツ識別情報を復号する復号手段と、復号されたコンテンツ識別情報を符号化する手段と、符号化されたコンテンツ識別情報で変調された光信号を生成し、選局情報として出力する出力手段とを有するリモコン  を具えることを特徴とする。
【００１０】
本発明では、放送中の放送番組又は放送コンテンツを特定するコンテンツ識別情報を放送受信機から出力させる。出力されたコンテンツ識別情報は、電子タグ用のリーダ／ライタを介して記録媒体に埋め込まれている電子タグに書き込むと共に記録媒体にはコンテンツ識別情報を視覚的に表示する可視表示を形成する。一方、リモコンには、電子タグに記憶されている情報を読み取るリーダ部を設け、電子タグに記憶されているコンテンツ識別情報を読み取り、コンテンツ識別情報又はコマンドセットで変調された光信号をテレビジョンに向けて出力する。視聴者は希望するチャンネルないし放送番組を記録媒体の視覚表示により認識し、リモコンを介して電子タグの情報を読み出し放送受信機に向け送信するだけで所望のチャンネルの放送番組及び各種のデータ放送を視聴することができる。すなわち、デジタル放送では、多数のチャンネルの放送番組が提供され多数のデータ放送が提供されるが、本発明ではカード等の記録媒体に表示されている可視表示を用いて所望の放送コンテンツないし放送番組を視覚的に特定し、リモコンを用いてカードに記憶されているコンテンツ識別情報を読み取り、受信機に向けて送信するだけで所望のチャンネルの放送番組ないし放送コンテンツを視聴することができ、煩雑なリモコン操作を解消することができる。また、視聴者は、希望する放送番組の識別情報を記録媒体に記憶させることができるので、複雑なリモコン操作を行うことなく希望するチャンネル及び階層の放送コンテンツを電子タグに記憶させることができる。さらに、コンテンツ識別情報が変更された場合、電子タグに記憶されている情報を簡単な操作で変更するだけで済む利点も達成される。ここで、電子タグとは、情報を記憶するためのICチップと、ICチップに記憶されている情報を送信するアンテナとを有し、無線タグ及びICタグを含むものである。電子タグに情報を書込及び書き込まれている情報を読み出す方式として、電磁結合方式、電磁誘導方式等の種々の方式を用いることができる。
【００１１】
本発明によるデジタルテレビジョンシステムの好適実施例は、電子タグに記憶されるコンテンツ識別情報として、前記リモコンから出力される選局情報のコマンドセットを用いることを特徴とする。コンテンツ識別情報としてコマンドセットを用いることにより、通常使用されているリモコンに簡単な変更を加えるだけで使用することができる。
【００１２】
本発明によるデジタルテレビジョンシステムの別の好適実施例は、リモコンは、記録媒体から読み出したコンテンツ識別情報を、放送受信機に送信されるべき対応するコマンドセットに変換する変換手段を有し、変換されたコマンドセットで変調された光信号を出力することを特徴とする。放送受信機から出力されるコンテンツ識別情報とリモコンから放送受信機に送信されるコマンドセットとがコード情報の形態として相違する場合、リモコンにおいて読み取ったコンテンツ識別情報をコマンドセットに変換する変換手段を設けることにより、従来のリモコンに簡単な変更を加えるだけで使用できる利点がある。
【００１３】
本発明によるデジタルテレビジョンシステムの別の好適実施例は、視聴者は、所望のチャンネルの放送番組ないしコンテンツを視聴する際、前記記録媒体の可視表示により所望のチャンネルないし放送番組を特定し、前記リモコン用いて記録媒体の電子タグに記憶されているコンテンツ識別情報を読み出し、読み出したコンテンツ識別情報をデジタル放送受信機に送出することを特徴とする。この結果、視聴を希望する放送番組の階層が深い場合であっても、極めて簡単な操作で所望の放送番組を視聴することができる。
【００１４】
本発明によるデジタルテレビジョンシステムの別の好適実施例は、記録媒体として、電子タグが埋め込まれているカードを用い、当該カードの表面にチャンネルないし放送番組を視覚的に表示する可視表示が付されていることを特徴とする。
【００１５】
本発明によるデジタルテレビジョンシステムの別の好適実施例は、電子タグが埋め込まれているカードが、複数のカードを収納するカードボックス内に収納され、当該カードボックスに前記電子タグに情報を書き込む書込手段が装着されていることを特徴とする。
【発明の効果】
【００１６】
本発明では、放送受信機から放送中の放送コンテンツないし放送番組の識別情報が出力されるので、視聴者は、希望する放送番組ないしチャンネルの識別情報を記録媒体に自由に記憶することができる。また、記憶されたコンテンツ識別情報はリモコンにより読み取ることができるので、煩雑なリモコン操作を行うことなく、リモコンにより放送受信機を所望のチャンネルの放送番組に設定することができ、コンテンツ選択及びチャンネル選択の操作が一層簡単化される。特に、階層的に配置されているデータ放送コンテンツを視聴する場合、リモコン操作を大幅に簡単化することができる。
【発明を実施するための最良の形態】
【００１７】
図１は本発明によるデジタルテレビジョンシステムの一例を示す線図である。本発明によるデジタルテレビジョンシステムは、デジタル放送を受信するデジタル放送受信機１０と、電子タグが埋め込まれている記録媒体であるカード２０と、放送受信機に選局情報ないし番組指定情報を送信等するためのリモコン３０と、カード２０の電子タグに放送番組又は放送コンテンツを特定するコンテンツ識別情報を書き込むリード／ライタ４０とを具える。
【００１８】
デジタル放送受信機１０は、アンテナ１１により放送電波を受信し、チューナにより所望のチャンネルが選択される。選択されたチャンネルのデジタル信号は復調器によりデジタル信号ストリームに復調される。デジタル信号ストリームは、多重分離手段により映像信号ストリーム、音声信号ストリーム及びデータ信号ストリームに分離され、さらに、映像デコーダ、音声デコーダ及びデータデコーダにより復号され、映像信号、音声信号及びデータ信号が出力する。
さらに、リモコン３０から出力される光信号を受信する光信号受信装置を有し、リモコンからのコマンドセットにより特定される選曲情報に基づいて指定されたチャンネルの放送コンテンツないしデータ放送が選択される。尚、チャンネルの選択等の処理はコントローラ（図示せず）により行われる。
【００１９】
本発明によるデジタル放送受信機は、視聴者により選択されたチャンネル又は放送コンテンツを識別するコンテンツ識別情報を出力する出力手段を有する。そして、この出力手段を介して選択されたチャンネルすなわち放送中のコンテンツのコンテンツ識別情報又はチャンネル識別情報を有線により又は無線により出力する。尚、本例では、放送中のコンテンツ識別情報は、コンテンツ識別情報出力端子１２から出力する。従って、このコンテンツ識別情報出力端子１２にケーブルを接続することにより、放送中のチャンネルないしコンテンツを識別するコンテンツ識別情報を得ることができる。
【００２０】
チャンネル識別情報出力端子１２にケーブル４１を接続する。このケーブル４１の先端側に電子タグに情報を書き込むリーダ／ライタ４０を接続する。このリーダ／ライタは、電子タグに記憶されている情報を消去する消去機能も有している。放送中のコンテンツの識別情報ないし識別コードとして、種々の識別コードを用いることができ、例えばリモコン３０から出力される選局情報であるコマンドセットを用いることができる。従って、視聴者は、リモコン３０により放送受信機を所望のチャンネルに設定し、リーダ／ライタ４０を放送受信機に接続し、リーダ／ライタ４０をカード２０の電子タグに近接させるだけで放送中のチャンネルないし放送番組の識別コードを電子タグに記憶させることができる。尚、本例では、ケーブル４１に電力供給線を併せて配置し、このケーブルの電力供給線を介してリーダ／ライタに必要な電力を供給して動作させることができる。
【００２１】
図２は、記録媒体であるカード２０の一例を示す線図である。カード２０には電子タグ２１を装着する。当該カードの表面には、電子タグ２１に記憶されているコンテンツ識別情報ないし放送番組識別情報を可視的に識別するための可視表示２２を設ける。従って、視聴者は、当該カード２０を肉眼で見るだけで当該カードに搭載されている電子タグに記憶されているコンテンツ識別情報ないし放送番組の識別情報を把握することができる。ここで、電子タグは、データを記憶するICチップとアンテナとを有し、無線によりICチップに記憶されているデータを読み出すことができる。尚、本発明では、電磁誘導方式、電磁結合方式、及びマイクロ波方式等の種々の形式の電子タグを用いることができる。
【００２２】
図３は、本発明によるリモコンの一例を示す線図である。このリモコンは、通常のリモコン機能に加えて以下の機能ないし手段を有する。電子タグリーダ部３１により、カード２０の電子タグ２１に記憶されているチャンネル識別情報を非接触で読み取ることができる。読み取られたチャンネル識別情報は、デコード処理部３２により復調され、送信制御部３３を経て、エンコード処理部３４により符号化される。この符号化された情報は一旦メモリ３５に格納され、視聴者に対して電子タグ情報の読取処理が完了したことを、例えばLED を点灯させて知らせることができる。次に、視聴者が、当該リモコンを放送受信機の画面に向け、送信スイッチ(図示せず)を押すと、メモリ３５に格納されている符号化されたチャンネル識別情報が赤外線信号送信部３５に供給され、符号化された情報により赤外線を変調し、変調された赤外線を外部に放出する。従って、視聴者は、電子タグリーダ部３１をカード２０の電子タグに近接させて、電子タグに記憶されているチャンネル識別情報を読出し、次に当該リモコンを放送受信機に向け送信ボタンを押すだけで放送受信機を所望のチャンネルないし所望の放送番組に設定することができる。尚、このリモコン装置の信号処理手順を図４に示す。
【００２３】
尚、放送受信機から出力されるコンテンツ識別情報が、リモコンから送信される選局情報であるコマンドセットと信号コードの形態として異なる場合、送信制御部３３に放送受信機から出力されるチャンネル識別情報とリモコンから送信されるコマンドセットとの関係を規定したテーブルを設け、送信制御部において復調されるチャンネル識別情報を対応するコマンドセットに変換し、エンコード処理部に送ることができる。このように構成することにより、通常のリモコンに僅かな変更を加えるだけで対応することができる。
【００２４】
電子タグが埋め込まれた複数のカード２０は、収納ボックス内に収納することができ、収納ボックスにリーダ／ライタを装着することも可能である。この場合、収納ボックスに装着されたリーダ／ライタにカードを近接するだけでデジタル放送のチャンネルないし放送番組の識別情報を電子タグに容易に書き込むことが可能である。特に、リーダ／ライタに消去機能が設けられているので、チャンネルないし放送番組の識別情報が変更された場合、新たな識別情報を書き込むことができる。
【００２５】
階層化されたデータ放送の各放送コンテンツの識別方法について説明する。データ放送のトップページはチャンネルにより特定されるため、コンテンツ識別情報としてチャンネル識別情報を用いることにより、視聴を希望する放送番組を特定することができる。一方、データ放送のコンテンツについては、各コンテンツ毎にチャンネルが割り付けられていないため、チャンネルを特定するだけでは、希望する放送コンテンツを特定することはできない。そこで、本発明では、放送局側においてデータ放送を記述するスクリプトに各階層のコンテンツを特定するための一連のリモコン操作手順ないしコマンドセットを明示的に記述し、データ放送コンテンツにコンテンツ識別情報を多重化して送信する。放送受信機側では、復調段においてデータ放送を記述するスクリプトを読み出し、コンテンツ識別情報を出力し、出力されたコンテンツ識別情報を電子タグに記憶させることができる。
【００２６】
デジタル放送受信機から出力されたコンテンツ識別情報を電子タグに書き込むまでのプロセスの一例を図５を参照しながら説明する。放送局は、当該放送局から放送される放送コンテンツの識別情報群がパケット化されたＴＳ（Transport Stream）をデジタル放送信号に含めて送信するものとする。コンテンツ識別情報取得工程Ｓ１において、コンテンツ識別情報群がパケット化されたＴＳをデジタル放送信号から取得し、コンテンツ識別情報群を抽出する。ＴＳの取得方法として、例えばコンテンツ識別情報群がパケット化されたＴＳには、特定のＰＩＤ（Packet Identifier ：ＴＳ毎に記述される識別番号）を記述しておき、受信機側において当該ＰＩＤが記述されたＴＳはコンテンツ識別情報であると判断することにより特定することができる。この場合、受信機に特定のＰＩＤを識別する手段を設けておく。
別の方法として、コンテンツ識別情報群を外部装置に出力する関数を提示して、その関数をデータ放送のスクリプトに記述しておく。受信機は、その関数に準じて外部装置にコンテンツ識別情報群を出力する。関数の例として、例えば以下のように設定する。
外部装置出力（引数１：コンテンツ識別情報群が記憶されたメモリへのポインタ、引数２：データサイズ、引数３：出力ポート………..）
さらに別の方法として、デジタルテレビジョンに搭載されている標準の双方向機能を利用して、データ放送のスクリプトに上り信号の送信命令を記述しておくことにより、外部装置にLANポートを介してコンテンツ識別情報群を出力させることも可能である。
【００２７】
次に、コンテンツ識別情報群出力工程Ｓ２において、取得したコンテンツ識別情報群をリーダ／ライタ装置（外部装置）に出力する。
【００２８】
次に、カード情報取得工程Ｓ３において、リーダ／ライタ装置は、電子タグに予め記憶されているカード情報を読み取る。すなわち、カードに搭載されている電子タグに、例えばデータ放送の種別であるニュース、天気、株価等のデータ放送の番組名ないし番組項目を予め格納しておく。記憶されている番組名をリーダ／ライタ装置により読み取る。
【００２９】
次に、コンテンツ識別情報抽出工程Ｓ４において、受信機から出力されてくるコンテンツ識別情報群から番組名をキーとして当該番組名のデータ放送のコンテンツ識別情報を抽出する。
【００３０】
最後に、カード書込工程Ｓ５において、リーダ／ライタ装置を用いて抽出したコンテンツ識別情報を電子タグに書き込む。
【００３１】
尚、デジタル放送受信機とリーダ／ライタ装置とを双方向に通信できるように構成すれば、コンテンツ識別情報抽出手段をデジタル放送受信機に設けることも可能である。さらに、上記工程Ｓ１〜Ｓ５を実施するための手段ないし機器はデジタル放送受信機に設置してもよく、或いは外部装置であるリーダ／ライタ装置に設けることも可能である。
【００３２】
次に、デジタル放送受信機からコンテンツ識別情報を出力する方法について説明する。図６は、データ放送画面のトップページの一例を示す。左側の上段よりニュース、天気、スポーツ、お知らせ１、及びお知らせ２の階層的に配置された５個のリンクボタンがあるものとする。これらのデータ放送はBMLで記述されているものとし、本例では、データ放送のコンテンツの配置に関する以下のスクリプトが放送局側から受信機側に送信されてくるものとする。尚、配置に関するスクリプトは、各データ放送コンテンツ毎にそれぞれ多重化されてもよく、又はデータ放送コンテンツの送信とは別に、５つのリンクボタンの配置情報が連続して送信されてもよいものとする。
<bml>
中略
<script>
中略
function News(){
browser.launchDocument(“〜/news.bml”);
}
function Weather(){
browser.launchDocument(“〜/weather.bml”);
}
function Sports(){
browser.launchDocument(“〜/sports.bml”);
}
Function Osirase1(){
browser.launchDocument(“〜/ Osirase.bml”);
}
function Osirase2(){
browser.launchDocument(“〜/startup.bml”);
}
中略
</script>
<div id＝” News”class＝”hotspot”
onclick＝”News();”
style＝”width:120px;height:40px;left:100px;top:150px
nav-index:0; nav-down:1; nav-right:3;”/>
<div id＝”Weather”class＝”hotspot”
onclick＝”Weather();”
style＝”width:120px;height:40px;left:100px;top:200px
nav-index:1; nav-up:0; nav-down:2; nav-right:3;”/>
<div id＝” Sports”class＝”hotspot”
onclick＝”Sports();”
style＝”width:120px;height:40px;left:100px;top:250px
nav-index:2; nav-up:1; nav-down:3; nav-right:3;”/>
<div id＝”Osirase1”class＝”hotspot”
onclick＝”Osirase1();”
style＝”width:120px;height:40px;left:300px;top:400px
nav-index:3; nav-up:2; nav-left:2; nav-right:4;”/>
<div id＝”Osirase2”class＝”hotspot”
onclick＝”Osirase2News();”
style＝”width:120px;height:40px;left:500px;top:400px
nav-index:4; nav-up:2; nav-left:3;”/>
</div>
中略
<bml>
【００３３】
受信機側において、スクリプト抽出手段を設け、受信した上記スクリプトについて、onclickをキーとしてリンクボタンの配置に関するスクリプトを抽出する。抽出したスクリプトのnav-index、nav-up、nav-left、及びnav-rightのパラメータから、リンクボタンを選択するためのリモコン操作手順を得ることができる。例えば、nav-index:0のニュース(スクリプト中のNews)については、nav-upとnav-leftが含まれておらず最上段の左端のリンクボタンと判断する。従って、ニュースについてのリモコン操作は、トップページの表示後に＜決定＞を押下だけである。nav-index:1の天気(スクリプト中のWeather)については、nav-up:０であるので、天気がフォーカスされているときには、リモコンの↑でニュースにフォーカスが移動する。従って、リモコン操作は、トップページの表示後に＜↓＞、＜決定＞の手順となる。このようにして、各リンクボタンを選択するためのリモコン操作が一意的に決定される。従って、受信機側において、スクリプト抽出手段により抽出されたスクリプトからリモコン操作情報を決定する手段、ないし抽出したスクリプトをリモコン操作情報に変換する手段を設けることにより、リモコン操作情報を出力することができる。そして、求められたリモコン操作情報をコード化して出力することにより、データ放送コンテンツを特定するためのリモコン操作情報を出力することができる。
【００３４】
コード化されたリモコン操作情報は、一例として以下のように表される。ここで、データ放送コンテンツ「ニュース」をcode1で表示し、「天気」をcode002で表示し、「スポーツ」をcode003で表示するものとする。
「code001↓決定，code002↓↓決定，code003………(中略)」
【００３５】
尚、本例では、放送局側から受信機に向けて、データ放送コンテンツの配置情報が多重化されたデータ放送コンテンツを送信し、受信機において配置に関するスクリプトを抽出し、抽出したスクリプトからリモコン操作情報を決定する構成としたが、放送局側から受信機にリモコン操作情報自体をBMLで記述したリモコン操作情報を送信し、受信機側においてリモコン操作情報に関するスクリプトを抽出し、抽出したスクリプトからリモコン操作情報を復号する構成とすることも可能である。
【図面の簡単な説明】
【００３６】
【図１】本発明によるデジタルテレビジョンシステムの一例を示す線図である。
【図２】電子タグが埋め込まれているカードの一例を示す線図である。
【図３】本発明によるリモコンの一例を示す線図である。
【図４】視聴者が所望のチャンネルを選択する際のリモコンにおける動作を説明するフローチャートである。
【図５】コンテンツ識別情報を電子タグに書き込むまでのプロセスを示す図である。
【図６】データ放送のトップページの一例を示す線図である。
【符号の説明】
【００３７】
１０  デジタル放送受信機
１１  アンテナ
１２  コンテンツ識別情報出力端子
２０  カード
２１  電子タグ
２２  視覚表示
３０  リモコン  
３１  電子タグリーダ部
３２  デコード処理部
３３  送信制御部
３４  エンコード処理部
３５  メモリ
３６  赤外線信号送信部
４０  リーダ／ライタ
４１  ケーブル
【図１】
0004558610.tif 000002
【図２】
0004558610.tif 000003
【図３】
0004558610.tif 000004
【図４】
0004558610.tif 000005
【図５】
0004558610.tif 000006
【図６】
0004558610.tif 000007